(57)【特許請求の範囲】
【請求項１】
一端の開口部から他端の開口部に向けて毛髪束を挿通可能に構成された扁平形状の筒状体からなる毛髪保持具であって、
前記筒状体における一方の面及び他方の面は、それぞれ一面シート及び他面シートから形成されており、
前記一面シート及び前記他面シートにおける前記一端の開口部近傍に、指を掛け得る指掛け部が設けられている毛髪保持具。
【請求項２】
前記指掛け部は、テーバーこわさが０．４ｍＮ・ｍ以上、１．０ｍＮ・ｍ以下の材料から形成されている請求項１記載の毛髪保持具。
【請求項３】
前記一対の指掛け部は、それぞれ、前記一面シート及び前記他面シートの外面に直接的に又は間接的に面状に接合されている請求項１又は２に記載の毛髪保持具。
【発明の詳細な説明】
【技術分野】
【０００１】
本発明は、毛髪束を所定の形状に巻回するときに用いられる毛髪保持具に関する。
【背景技術】
【０００２】
下記特許文献１には、筒状体からなり、毛髪取り込み口及びその近傍を高剛性に形成した毛髪保持具が記載されている。この毛髪保持具によれば、毛髪取り込み口への毛髪束の挿入性が高くなっている。
【０００３】
【特許文献１】特開２００３−３３２１６号公報
【発明の開示】
【発明が解決しようとする課題】
【０００４】
しかし、特許文献１記載の前記毛髪保持具においては、毛髪束の挿入性は向上しているが、挿入性が向上するまで毛髪取り込み口を硬く形成すると、毛髪取り込み口が変形しにくくなり、毛髪取り込み口で毛髪束を抑えることができなくなる。そのため、毛髪束の巻き上げ開始位置がずれ易く、また毛髪束の挿入後に毛髪束と筒状体とを固定し難いため、巻き上げ中に毛髪束に対する筒状体の位置がずれ易いという課題があった。また、毛髪取り込み口への毛髪束の挿入性の更なる向上が望まれている。
【０００５】
従って、本発明の目的は、筒状体における毛髪取り込み口近傍の把持性及び毛髪取り込み口への毛髪束の挿入性を向上できると共に、毛髪束の巻き上げ開始位置のずれ及び巻き上げ中における毛髪束に対する筒状体の位置ずれを防止できる毛髪保持具を提供することにある。
【課題を解決するための手段】
【０００６】
本発明は、一端の開口部から他端の開口部に向けて毛髪束を挿通可能に構成された扁平形状の筒状体からなる毛髪保持具であって、前記筒状体における一方の面及び他方の面は、それぞれ一面シート及び他面シートから形成されており、前記一面シート及び前記他面シートにおける前記一端の開口部近傍に、指を掛け得る指掛け部が設けられている毛髪保持具を提供することにより、上記目的を達成したものである。
【発明の効果】
【０００７】
本発明の毛髪保持具によれば、指掛け部に挿入した指が高剛性部材の代わりとなって筒状体における毛髪取り込み口近傍の把持性及び毛髪取り込み口への毛髪束の挿入性を向上できる。また、また毛髪取り込み口が容易に変形可能なため毛髪束の巻き上げ開始位置のずれ及び巻き上げ中における毛髪束に対する筒状体の位置ずれを防止できる。
【発明を実施するための最良の形態】
【０００８】
以下、本発明の毛髪保持具を、その好ましい一実施形態に基づき図面を参照しながら説明する。
本実施形態の毛髪保持具１は、図１に示すように、一端の開口部２１から他端の開口部２２に向けて毛髪束Ｈ〔図３（ｃ）参照〕を挿通可能に構成された扁平形状の筒状体２からなる毛髪保持具である。筒状体２における一方の面及び他方の面は、それぞれ一面シート２３Ａ及び他面シート２３Ｂから形成されており、一面シート２３Ａ及び他面シート２３Ｂにおける一端の開口部２１近傍それぞれに、指を掛け得る一対の指掛け部４，４が設けられている。指掛け部４は、一個のみでも良いが、毛髪挿入操作の容易性を考慮すると、一対設けた方が好ましい。
【０００９】
本実施形態の毛髪保持具１について更に詳述する。本実施形態の毛髪保持具１における筒状体２は、図１に示すように、一方の面を形成する一面シート２３Ａ及び他方の面を形成する他面シート２３Ｂからなる。一面シート２３Ａ及び他面シート２３Ｂは、帯状シートであり、その両側端部２４，２４同士が接合されて、一端の開口部２１及び他端の開口部２２を有する扁平形状の筒状体２が形成されている。一端の開口部２１は、毛髪取り込み口となる開口部である。
筒状体２の大きさは、毛髪の長さやくせ付けしたい場所、挿入する毛髪束の量に応じて適宜設定されるが、好ましくは、長さが５０〜３５０ｍｍ、幅が２０〜１００ｍｍである。
【００１０】
一面シート２３Ａ及び他面シート２３Ｂを形成する材料としては、各種可撓性材料が用いられる。その可撓性材料としては、不織布、織物、編み物、多孔性若しくは非多孔性の樹脂フィルム、紙、樹脂ネット又はこれらの複合体等が挙げられ、具体的用途に応じて適切な材料が選択される。例えば、筒状体２内に挿入されている毛髪に対して筒状体２の外部から毛髪処理剤を施したいときには、該毛髪処理剤に対して透過性を有する材料を用いればよい。筒状体２内に挿入されている毛髪のみに毛髪処理剤を施したいときには、該毛髪処理剤に対して非透過性を有する材料を用いればよい。本実施形態においては、筒状体２の外部から毛髪処理剤を施すことを考慮して、毛髪処理剤に対して透過性を有する不織布が用いられている。
【００１１】
一面シート２３Ａ及び他面シート２３Ｂの厚みは、特に限定されないが、好ましくは５〜５００μｍである。一面シート２３Ａ及び他面シート２３Ｂの厚み及びテーバーこわさは、シート全体で均一の方が好ましい。
一面シート２３Ａと他面シート２３Ｂとの接合には、ヒートシール、インパルスシール、超音波シール、接着剤、粘着テープ、縫製等が用いられ、本実施形態においては、ヒートシールが用いられている。
【００１２】
図１に示すように、一面シート２３Ａ及び他面シート２３Ｂの外面における一端の開口部２１近傍それぞれには、取り込み口補強シート５１，５１が接合されており、そのため、筒状体２における一端の開口部２１近傍のテーバーこわさ（剛性）が向上し、一端の開口部２１への毛髪束の挿入性が向上している。本実施形態における取り込み口補強シート５１，５１は、一面シート２３Ａ及び他面シート２３Ｂと同じ幅の帯状シートから形成されており、それぞれ一面シート２３Ａ及び他面シート２３Ｂに全面的に接合されている。
一面シート２３Ａ又は他面シート２３Ｂと取り込み口補強シート５１との積層体のテーバーこわさは、好ましくは０．４ｍＮ・ｍ以上、１．０ｍＮ・ｍ以下である。
尚、前記「テーバーこわさ」は、ＪＩＳ  Ｐ８１２５に規定される「こわさ試験方法」により測定されるテーパーこわさである。
【００１３】
図１に示すように、一面シート２３Ａ及び他面シート２３Ｂにおける一端の開口部２１近傍それぞれには、指を掛け得る一対の指掛け部４，４が設けられている。本実施形態における一対の指掛け部４，４は、帯状シートが矩形輪状にされて形成されており、それぞれ一面シート２３Ａ側の取り込み口補強シート５１及び他面シート２３Ｂ側の取り込み口補強シート５１を介して間接的に、一面シート２３Ａ及び他面シート２３Ｂの外面に面状に接合されている。
指掛け部４を形成する材料としては、各種可撓性材料が用いられる。その可撓性材料としては、樹脂フィルム、紙、金属板又はこれらの複合体等が挙げられる。
【００１４】
指掛け部４の内周長は、それに指を掛けた際の安定感等の観点から、好ましくは４ｃｍ以上、１０ｃｍ以下である。
指掛け部４の幅は、筒状体２の幅にもよるが、指掛け部４に指を掛けた際の安定感や触感等の観点から、好ましくは５ｍｍ以上、６０ｍｍ以下であり、更に好ましくは１０ｍｍ以上、４０ｍｍ以下である。
【００１５】
指掛け部４の接合面積（一面シート２３Ａ又は他面シート２３Ｂに直接的に又は間接的に接合される面積）は、指掛け部４に指を掛けて一端の開口部２１を開口させる際の開口し易さ等の観点から、好ましくは５ｍｍ2以上、５０ｍｍ2以下である。
【００１６】
指掛け部４は、指を掛けた際の安定性や指の挿入性等の観点から、テーバーこわさが０．４ｍＮ・ｍ以上、１．０ｍＮ・ｍ以下の材料から形成されていることが好ましい。
【００１７】
図１に示すように、筒状体２を構成する一面シート２３Ａ及び他面シート２３Ｂには、それぞれ、筒状体２の巻き上げ用の巻き上げ用糸７を挿通案内する複数個の挿通孔部６Ａ，６Ｂが設けられている。巻き上げ用糸７は、その一端７１が筒状体２の他端の開口部２２近傍に固定されており、挿通孔部６Ａ，６Ｂに順次挿通案内されて筒状体２の外周面にスパイラル状に巻き付けられている。
巻き上げ用糸７は、筒状体２内に挿入されている毛髪束を、筒状体２ごと巻き上げる手段として用いられる。本発明において巻き上げとは、毛髪に所定のくせ付けをすること全般を意味し、本来の巻き上げ（スパイラル状の巻き上げ）に加えて例えば湾曲や屈曲も包含される。
【００１８】
巻き上げ用糸７は、これを引っ張って毛髪の巻き上げ操作を行うときに、引きちぎれない程度の強度及び巻き上げ操作を円滑に行い得る柔軟性を有していることが好ましい。この点から、巻き上げ用糸７は各種樹脂等の合成物、木綿や麻等の天然物、レーヨン等の半天然物、各種金属、又はこれらの複合体等から構成されていることが好ましい。また、巻き上げ用糸７は、糸状のものに限られず、例えば細長い帯状のものでもよい。
【００１９】
巻き上げ用糸７は、一面シート２３Ａ及び他面シート２３Ｂにおける両側部に互い違いに形成された挿通孔部６Ａ，６Ｂに、ジグザグの軌跡を描くように挿通されて、筒状体２に取り付けられている。
詳細には、筒状体２は、その両側部に第１の挿通孔部６Ａからなる第１の挿通孔部列と、第２の挿通孔部６Ｂからなる第２の挿通孔部列とを有している。第１の挿通孔部列における隣接する挿通孔部６Ａ，６Ａの間隔は一定になっている。第２の挿通孔部列においても同様であり、その間隔は第１の挿通孔部列と同じになっている。そして、各挿通孔部列における挿通孔部６Ａ，６Ｂは、互いに半ピッチずれるように互い違いに配置されている。
【００２０】
巻き上げ用糸７は、最も下部に位置する第１の挿通孔部６Ａに、他面シート２３Ｂから一面シート２３Ａに向けて挿通され、その位置から斜め左上方に位置する第２の挿通孔部６Ｂに向けて、一面シート２３Ａの外面に沿って配されている。そして、第２の挿通孔部６Ｂにおいて、一面シート２３Ａから他面シート２３Ｂに向けて挿通されている。第２の挿通孔部６Ｂに挿通された巻き上げ用糸７は、その位置から斜め右上方に位置する第１の挿通孔部６Ａに向けて、他面シート２３Ｂの外面に沿って配されている。以後この挿通が繰り返される。その結果、巻き上げ用糸７はジグザグの軌跡を描くことになる。
【００２１】
巻き上げ用糸７の一端７１には、結び目が形成されており、前記最も下部に位置する挿通孔部６Ａに引っ掛かり、引き抜かれないようになされて固定されている。筒状体２における最も上部に位置する挿通孔部６Ｂにおいては、巻き上げ用糸７は自由状態になっている。最も上部に位置する挿通孔部６Ｂに隣接して、挿通孔部６Ｃが設けられており、この挿通孔部６Ｃに、巻き上げ用糸７の他端７２が挿通されている。巻き上げ用糸７の他端７２には、結び目が形成されており、挿通孔部６Ｃに引っ掛かり、引き抜かれないようになされて固定されている。
従って、巻き上げ用糸７の他端７２側を引っ張ると、筒状体２は、スパイラル状に変形する。
【００２２】
図１に示すように、巻き上げ用糸７の他端７２側における、最も上部に位置する挿通孔部６Ｂと挿通孔部６Ｃとの間には、糸留め８が取り付けられている。糸留め８は、巻き上げ用糸７に沿って移動自在になっていると共に、所定位置で固定できるようになっている。そのため、筒状体２を巻き上げた後において、糸留め８を最も上部に位置する挿通孔部６Ｂ近傍に移動し、その位置で固定することにより、筒状体２の巻き上げ状態を容易に維持できるようになっている。
【００２３】
このように構成された本実施形態の毛髪保持具１の一使用方法について、パーマネント処理を例にとり図２〜図４を参照しながら説明する。尚、図３においては、筒状体２における巻き上げ用糸７の図示を省略している。
ここでは、筒状体２における一端の開口部２１への毛髪束Ｈの挿入に、毛髪挿入具３を用いる。毛髪挿入具３は、図３に示すように、細長板状で、一端側が先細状に形成された板状部材３１からなる。板状部材３１は、硬質の合成樹脂シート等から形成されている。板状部材３１の他端側には、長手方向に延びる波状スリット形状の係止部３２が設けられており、更に係止部３２と連続する略矩形状の切り抜き部３３が形成されている。
【００２４】
まず、図２に示すように、筒状体２の一端の開口部２１近傍に設けられた一対の指掛け部４，４に、それぞれ指Ｆ，Ｆを掛け、指Ｆ，Ｆを離間させる。その結果、一対の指掛け部４，４も離間し、筒状体２の一端の開口部２１がスムーズに開口する。
次に、図３（ａ）に示すように、毛髪束Ｈを毛髪挿入具３の係止部３２に挿通して係止させる。毛髪束Ｈは、毛髪挿入具３における係止部３２の形状に従って、毛髪挿入具３の長手方向と直交する方向に延びた状態で係止部３２に係止される。
【００２５】
次いで、毛髪挿入具３をその一端側から、開口させた筒状体２の一端の開口部２１に挿入する。図３（ｂ）に示すように、毛髪挿入具３を筒状体２内に更に挿通させると、毛髪挿入具３の係止部３２に係止された毛髪束Ｈが、一対の指掛け部４，４それぞれに掛けられた指Ｆ，Ｆに当接する。毛髪挿入具３を筒状体２内に更に挿通させると、毛髪束Ｈは、指Ｆ，Ｆに当接してくの字に屈曲する。
【００２６】
このように、毛髪束Ｈは筒状体２に挿入される直前で指Ｆ，Ｆに当接して屈曲するため、毛髪挿入具３は筒状体２内にスムーズに挿入される。
そして、図３（ｃ）に示すように、毛髪挿入具３を筒状体２の他端の開口部２２から引き抜く。その結果、毛髪挿入具３の係止部３２に係止されていた毛髪束Ｈは、係止部３２から外れ、筒状体２の他端の開口部２２からはみ出るまで挿通される。尚、毛髪束Ｈは、筒状体２の他端の開口部２２からはみ出させなくてもよい。
【００２７】
次に、筒状体２における一端の開口部２１近傍を指（図示せず）で軽く押さえる。この状態下に、図４（ａ）に示すように、筒状体２の外周面に巻き付けられている巻き上げ用糸７の他端７２近傍又は糸留め８を引っ張る。すると図４（ｂ）及び（ｃ）に示すように、毛髪束Ｈは、筒状体２と共にスパイラル状に巻き上げられて、小さくまとめられる。
この状態を保持するために、図４（ｃ）に示すように、糸留め８を筒状体２における最も上部に位置する挿通孔部６Ｂ近傍に移動し、巻き上げ用糸７に係止して、筒状体２の巻き上げ状態を維持する。
【００２８】
筒状体２が巻き上げられた状態下に、筒状体２に向けて第１のパーマネント処理剤（還元剤）を付与する（図示せず）。筒状体２はパーマネント処理剤に対して透過性の材料から構成されているので、パーマネント処理剤は筒状体２を透過して毛髪束Ｈに施される。
所定時間放置後、筒状体２に向けて第２のパーマネント処理剤（酸化剤）を付与し、再び所定時間放置する。これによって、筒状体２内に挿入されている毛髪束Ｈに対して、そ
の巻き上げ形態のパーマネントウエーブが掛けられる。その後、糸留め８を巻き上げ用糸７の他端７２側に移動し、毛髪束Ｈの巻き上げ状態を解除する。引き続き毛髪束Ｈを筒状体２から取り出し、すすぎ洗いをし、更にシャンプー及びブローをする。
【００２９】
以上の説明の通り、本実施形態の毛髪保持具１によれば、一面シート２３Ａ及び他面シート２３Ｂにおける一端の開口部２１近傍それぞれに、指Ｆを掛け得る一対の指掛け部４，４が設けられている。そのため、筒状体２の毛髪取り込み口である一端の開口部２１近傍の把持性が高い。また、指Ｆ，Ｆを一対の指掛け部４，４に掛けて離間させると、筒状体２の一端の開口部２１を容易に開口させることができると共に、一端の開口部２１近傍の剛性が、指掛け部４に掛けられた指Ｆの存在により実質的に高くなるため、一端の開口部２１への毛髪束Ｈの挿入性も高い。
【００３０】
また、一対の指掛け部４，４に掛けた指Ｆ，Ｆを接近させ、筒状体２における一端の開口部２１近傍の毛髪束Ｈを容易に挟持することができるため、毛髪束Ｈの巻き上げ開始位置のずれ及び巻き上げ中における毛髪束Ｈに対する筒状体２の位置ずれを防止することができる。
【００３１】
毛髪挿入具３を用いて毛髪束Ｈを筒状体２に挿入する際に、毛髪挿入具３に係止された毛髪束Ｈが指掛け部４に掛けられた指Ｆに当接し、屈曲されるため、毛髪挿入具３に係止された毛髪束Ｈを予め屈曲させておかなくても、毛髪束Ｈを筒状体２における一端の開口部２１にスムーズに挿入することができる。
一対の指掛け部４，４がそれぞれ一面シート２３Ａ及び他面シート２３Ｂの外面に面状に接合されているため、筒状体２の一端の開口部２１をスムーズに開口させることができる。
【００３２】
以上、本発明の毛髪保持具の好ましい実施形態について説明したが、本発明の毛髪保持具は、前述した実施形態に制限されることなく、本発明の趣旨を逸脱しない限り、適宜変更が可能である。
指掛け部４の輪形状は、矩形輪状に制限されず、例えば楕円輪状でもよい。また、指掛け部４の幅は、一定でなくてもよく、例えば図５に示すように、平面視で筒状体２の一面シート２３Ａ又は他面シート２３Ｂから離間するにつれて狭くなっていてもよい（台形状）。
指掛け部４は、指を掛けることができれば、輪状でなくてもよく、例えば鉤状（ホック状）でもよい。また、指掛け部４は、指が挿入できる形状に限られず、例えば図６に示すように、指で挟持できる形状でも良い。尚、図６においては、筒状体２における巻き上げ用糸７の図示を省略している。
【００３３】
筒状体２の一端の開口部２１近傍の取り込み口補強シート５１は、設けられている方が好ましいが、省略することもできる。取り込み口補強シート５１が省略されている形態では、指掛け部４が筒状体２における一面シート２３Ａ及び他面シート２３Ｂに直接的に接合されることになる。
指掛け部４は、一面シート２３Ａ又は他面シート２３Ｂに直接的に又は間接的に面状に接合されていることが好ましいが、線状に接合することもできる。
【００３４】
筒状体２を形成する一面シート２３Ａ及び他面シート２３Ｂは、１枚のシートから形成することができる。その場合、該１枚のシートをその幅方向中央部で長手方向に折り返して筒状体２を形成すればよい。
巻き上げ用糸７の挿通形態は、筒状体２を巻き上げることができれば、前述の実施形態における挿通形態に制限されない。巻き上げ用糸７は設けられていなくてもよい。
【図面の簡単な説明】
【００３５】
【図１】図１は、本発明の毛髪保持具の一実施形態を示す図で、（ａ）は正面図、（ｂ）は部分右側面図ある。
【図２】図２は、図１に示す毛髪保持具における一端の開口部を開口した状態を示す斜視図である。
【図３】図３は、図１に示す毛髪保持具の一使用態様を示す図で、（ａ）、（ｂ）及び（ｃ）は、それぞれ毛髪保持具への毛髪挿入具の挿通手順を順次示す正面図である。
【図４】図４は、図１に示す毛髪保持具の一使用態様を示す図で、（ａ）、（ｂ）及び（ｃ）は、それぞれ毛髪束の巻回手順を順次示す斜視図である。
【図５】図５は、指掛け部の形態が異なる別の実施形態の毛髪保持具を示す平面図である。
【図６】図６は、指掛け部の形態が異なる別の実施形態の毛髪保持具を示す斜視図である。
【符号の説明】
【００３６】
１  毛髪保持具
２  筒状体
２１  一端の開口部
２２  他端の開口部
２３Ａ  一面シート
２３Ｂ  他面シート
３  毛髪挿入具
４  指掛け部
５１  取り込み口補強シート
６Ａ、６Ｂ、６Ｃ  挿通孔部
７  巻き上げ用糸
７１  一端
７２  他端
８  糸留め
Ｆ  指
Ｈ  毛髪束
【図１】
0004619244.tif 000002
【図２】
0004619244.tif 000003
【図３】
0004619244.tif 000004
【図４】
0004619244.tif 000005
【図５】
0004619244.tif 000006
【図６】
0004619244.tif 000007